(57)【特許請求の範囲】
【請求項１】
矩形筺体状に形成された液槽を隔壁板で区画して前後方向に連続する複数の分離室とし、かつ隔壁板の下部に形成された連通口によって隣接する分離室相互を連通させてなり、前部の分離室に供給される雨水を各分離室に流入させ、各分離室で雨水に混入している不純物をその比重差により浮上又は沈殿させて分離し、後部の分離室に開口された流出口から清浄な雨水を流出させる雨水浄化装置であって、
前記流出口に、該流出口を閉止可能な開閉弁を設け、
さらに液槽の前後方向に沿った側部に、槽壁を介してオーバーフロー室を連成し、前記槽壁に所要の分離室と連通するオーバーフロー孔を、流出口より上方となる高さ位置に設けるとともに、オーバーフロー室の底部に排水口を設けたことを特徴とする雨水浄化装置。
【請求項２】
隔壁板を着脱可能に設けるとともに、液槽の底部に開閉弁を備えた清掃用排出口を設けたことを特徴とする請求項１に記載した雨水浄化装置。
【請求項３】
所要の分離室内で、隔壁板の連通口から流入する雨水の水流に晒される位置に、吸着性に優れた多孔質セラミックスを配置したことを特徴とする請求項１又は請求項２に記載した雨水浄化装置。
【発明の詳細な説明】
【０００１】
【発明の属する技術分野】
本発明は、雨水に混入している不純物を除去するために用いる雨水浄化装置に関する。
【０００２】
【従来の技術】
雨水を生活用水、例えば水洗トイレ用，洗車用，風呂用等の水として有効利用する場合にあって、雨水を使用時にいつでも給水できるようにするためには、所定量の雨水を予め貯水タンクに貯留しておく必要がある。従来、屋根に降った雨水を貯水タンクに貯留する場合、建物の側壁に取付けられている縦樋から雨水を導いて、この雨水を直接、貯水タンクに流し込んでいた。
【０００３】
【発明が解決しようとする課題】
ところで、雨水には、厨房の換気口等から排出されて空気中に浮遊する微細な油の粒子や、自動車の排気ガス中の煤、あるいは屋根の上に吹き上げられた砂塵、その他の不純物が混入しているが、従来構成にあっては、かかる不純物が混入した雨水が、直接、貯水タンクに供給され、かつ、使用に供されている。このため、雨水利用において、雨水の浄化が要望されていた。
【０００４】
本発明は、雨水を貯水タンクに供給する前に、雨水から不純物を除去して浄化し得るとともに、清掃作業が容易な雨水浄化装置を提供することを目的とするものである。
【０００５】
【課題を解決するための手段】
本発明は、矩形筺体状に形成された液槽を隔壁板で区画して前後方向に連続する複数の分離室とし、かつ隔壁板の下部に形成された連通口によって隣接する分離室相互を連通させてなり、前部の分離室に供給される雨水を各分離室に流入させ、各分離室で雨水に混入している不純物をその比重差により浮上又は沈殿させて分離し、後部の分離室に開口された流出口から清浄な雨水を流出させる雨水浄化装置であって、前記流出口に、該流出口を閉止可能な開閉弁を設け、さらに液槽の前後方向に沿った側部に、槽壁を介してオーバーフロー室を連成し、前記槽壁に所要の分離室と連通するオーバーフロー孔を、流出口より上方となる高さ位置に設けるとともに、オーバーフロー室の底部に排水口を設けたことを特徴とする雨水浄化装置である。
【０００６】
かかる構成にあって、降雨時に、前部の分離室に縦樋から導いた雨水を供給すると、該雨水は複数の分離室を経て後部の分離室の流出口から流出する。この間に、各分離室内において、雨水に混入している油や煤等の比重の小さい不純物は浮上分離する一方、砂塵等の比重の大きい不純物は沈殿分離する。これにより、かかる不純物が除去された清浄な雨水を貯水タンクに送水することができる。また、降雨時において、流出口に設けた開閉弁によって該流出口を閉止することにより、水位が上り、オーバーフロー孔から雨水がオーバーフローするが、この時、水面に浮上している油や煤等の分離物が雨水とともに排出されることとなり、分離室内の浮上分離物の除去を簡単に行うことができる。
【０００７】
また、上記構成にあって、隔壁板を着脱可能に設けるとともに、液槽の底部に開閉弁を備えた清掃用排出口を設ける構成が提案され得る。ここで、隔壁板により複数の分離室に区画される液槽は、清潔性を維持するために清掃を頻繁に行う必要があるが、この清掃時に、着脱可能な隔壁板を取り外すことにより、液槽が大きく開放され、清掃が容易となる。また、底部の開閉弁を開いて清掃用排出口を開放することにより、液槽内の水を簡単に排出することができる。さらに、この時、液槽の底部が一連となり、液槽の底部に沈殿している分離物を清掃用排出口から排出させることができるため、液槽の沈殿分離物の除去を簡単に行うことができる。
【０００８】
また、上記構成にあって、所要の分離室内で、隔壁板の連通口から流入する雨水の水流に晒される位置に、吸着性に優れた多孔質セラミックスを配置する構成が提案され得る。このように、吸着性に優れた多孔質セラミックスを配置すると、該多孔質セラミックスによって、雨水の脱臭，油分除去作用が得られるとともに、水を活性化させることができる。
【０００９】
また、上記構成にあって、液槽の前後方向に沿った側部に、槽壁を介してオーバーフロー室を連成し、前記槽壁に所要の分離室と連通するオーバーフロー孔を設けるとともに、オーバーフロー室の底部に排水口を設ける構成が提案され得る。このように構成することにより、オーバーフロー孔から延出される配管を無くすことができ、美観性に優れたものとなる。
【００１０】
【発明の実施の形態】
本発明は、図１に示すように、矩形筺体状に形成された液槽２を隔壁板３ａ，３ｂ，３ｃで区画して前後方向に連続する複数の分離室４ａ，４ｂ，４ｃ，４ｄとし、かつ各隔壁板３ａ〜３ｃの下部に形成された連通口５（図３参照）によって隣接する分離室相互を連通させてなり、前部の分離室４ａに供給される雨水を各分離室４ｂ〜４ｄに流入させ、各分離室４ｂ〜４ｄで雨水に混入している不純物ｘ，ｙをその比重差により浮上又は沈殿させて分離し、後部の分離室４ｄに開口された流出口６から清浄な雨水を流出させる雨水浄化装置１であって、前記流出口６に、該流出口６を閉止可能な開閉弁７を設けるとともに、所要の分離室４ｂ〜４ｄの、流出口６より上方となる高さ位置にオーバーフロー孔８を設けたことを特徴としている。
【００１１】
以下に、上記雨水浄化装置１の具体的な一実施例を、図１〜図５について説明する。
液槽２は、前後の槽璧９ａ，９ｂと、側部の槽璧９ｃ，９ｄと、底壁９ｅとによって矩形筺体状に形成されており、該液槽２の前後方向に沿った側部に、槽壁９ｃを介してオーバーフロー室１０が連成されている。ここで、オーバーフロー室１０は、その前後璧及び底壁が、側方に延出された液槽２の前後の槽璧９ａ，９ｂ及び底壁９ｅと一体となっており、また、内側壁を兼ねた槽壁９ｃに対して外側璧９ｆを対設することにより、外側面が水密状に遮蔽されている。そして、前記液槽２の底部には、開閉弁１１を備えた清掃用排出口１２が設けられており、またオーバーフロー室１０の底部には排水口１３が設けられている。
【００１２】
液槽２内には、前後方向に沿う側部の槽璧９ｃ，９ｄに上下動可能に支持された三枚の隔壁板３ａ，３ｂ，３ｃが前後に略等間隔で配置されており、該隔壁板３ａ〜３ｃによって液槽２が四つの分離室４ａ，４ｂ，４ｃ，４ｄに区画されている。該分離室４ａ〜４ｄは、図３に示すように、各隔壁板３ａ〜３ｃの下部に夫々形成された多数の連通口５によって、隣接する分離室相互、即ち分離室４ａと４ｂ，４ｂと４ｃ，４ｃと４ｄが夫々連通されている。
【００１３】
前記各隔壁板３ａ〜３ｃは、その両側縁が槽璧９ｃ，９ｄに対向状に配設された前後一対のガイド縁１５ａ，１５ｂ内に上下摺動可能に嵌挿され、着脱可能となっている。また、各隔壁板３ａ〜３ｃの下部には、連通口５の後方に流動間隙１６を介して短尺状の水流規制板１７が対設されており、該水流規制板１７によって上向きの水流が生じるようになっている。
【００１４】
さらに、各隔壁板３ａ〜３ｃには、前記水流規制板１７の上方で、該水流規制板１７によって生じる上向きの水流に晒される位置に、通水性を有する支持容器１８が夫々配設されており、各支持容器１８内には複数の多孔質セラミックス１９が装入されている。この多孔質セラミックス１９としては、親水性が高く、多孔質で総表面積が大きいものが望ましく、これにはシリカ−アルミナ系の原料を高温焼成したものが好適に用いられる。この多孔質セラミックス１９は、吸着性に優れているため、雨水の脱臭，油分除去作用が得られ、また、多孔質であるため水を活性化させることができる。
【００１５】
前部の分離室４ａの槽璧９ａには、雨水の供給口２０が設けられており、該供給口２０は分離室４ａの上部に臨ませて開口されている。また、該分離室４ａ内には、無数の小孔を備えたパンチングメタルや金網等の濾過部材３５によって外周の一部又は全体を囲繞してなるバスケット筺体２１が着脱可能に装着されており、該バスケット筺体２１によって、雨水に混入している木の葉等の比較的大きな不純物を回収するようにしている。
【００１６】
一方、後部の分離室４ｄには、トラップ管２２が配設されている。該トラップ管２２は、図１に示すように、導入管部２３ａと排出管部２３ｂとを備えた倒Ｌ字形に形成されており、導入管部２３ａの導入口２４が分離室４ｄの下部位置に開口される一方、排出管部２３ｂが、分離室４ｄの槽璧９ｂの上部に開口された流出口６に接続されている。また、流出口６には、液槽２の外側に位置させて開閉弁７が設けられており、該開閉弁７によって流出口６を必要に応じて閉止し得るようになっている。
【００１７】
また、前記オーバーフロー室１０側に位置する液槽２の槽壁９ｃには、上記流出口６より上方となる高さ位置に、所要の分離室４ｂ〜４ｄとオーバーフロー室１０とを連通する複数のオーバーフロー孔８が設けられており、液槽２内の水位が上がった場合に、該オーバーフロー孔８から雨水をオーバーフローさせ得るようになっている。ここで、オーバーフロー孔８から流れ出た雨水は、オーバーフロー室１０に受け入れられ、底部の排水口１３から排水される。これにより、オーバーフロー室１０は、オーバーフロー孔８から延出される配管を無くし、美観性を向上し得るものとなっている。
【００１８】
液槽２及びオーバーフロー室１０の上部には、該液槽２及びオーバーフロー室１０の上部開口を一体に覆う蓋体２５が配設されている。該蓋体２５は、液槽２及びオーバーフロー室１０の開口上縁に沿って被着されたパッキン２６を介して液槽２及びオーバーフロー室１０の上部開口を密閉状に遮蔽し得るようになっており、これによって、虫等の異物の侵入を防止するようにしている。また、該蓋体２５は、図４，図５に示すように、ヒンジ結合された一側縁を支点として上下方向に開閉し得るようになっており、さらに、ステー２７によって、開放状態を保持し得るようになっている。また、液槽２及びオーバーフロー室１０の下部には四本の支脚２８が配設され、該支脚２８によって設置面からの適宜の高さが確保されている。また、蓋体２５は、閉止金具２９の孔３０に南京錠等を施錠することにより、無用の開放やいたずらを防止し得るようになっている。
【００１９】
かかる構成からなる雨水浄化装置１は、清掃作業がしやすい地上等に設置され、図６に示すように、前部の供給口２０に建物の縦樋３１から分岐された供給管３２が接続される一方、後部の流出口６には図示しない貯水タンクに連通する送水管３３が接続される。また、オーバーフロー室１０の底部の排水口１３には、前記縦樋３１の下部に連通する排水戻し管３４が接続される。
【００２０】
このような設置状態にあって、降雨時に、屋根に降った雨水が、縦樋３１及び供給管３２を経て供給口２０から前部の分離室４ａに供給されると、バスケット筺体２１によって、雨水に混入している木の葉等の比較的大きな不純物が除去された後、該雨水は、隔壁板３ａの連通口５から分離室４ｂに流入する。さらに、分離室４ｂに流入した雨水は、隔壁板３ｂの連通口５から分離室４ｃへ流入し、分離室４ｃに流入した雨水は、隔壁板３ｃの連通口５から分離室４ｄへと順次流入する。ここで、各隔壁板３ａ，３ｂ，３ｃの連通口５の後方には水流規制板１７が夫々対設されていることにより、雨水は各隔壁板３ａ〜３ｃと水流規制板１７間の流動間隙１６から上方に向けて夫々流れることとなる。これにより、各分離室４ｂ，４ｃ，４ｄ内での滞留時間が長くなり、雨水中の殆どの油や煤等の比重の小さい不純物ｘはその比重差により浮上分離され、また砂塵等の比重の大きい不純物ｙは沈殿分離される。
【００２１】
また、各分離室４ｂ，４ｃ，４ｄ内で、隔壁板３ａ，３ｂ，３ｃの連通口５から流入する雨水の水流に晒される位置に、吸着性に優れた多孔質セラミックス１９が配置されているため、該多孔質セラミックス１９の吸着作用によっても、油分を除去することができ、また、雨水を脱臭することができる。さらに多孔質であるため水が活性化される。
【００２２】
そして、このように不純物が除去された雨水が、トラップ管２２の導入口２４に流入し、清浄な雨水が流出口６から送水管３３によって貯水タンクに送水される。
【００２３】
一方、上記のように、各分離室４ｂ，４ｃ，４ｄ内には、雨水から浮上分離した油や煤等の比重の小さい不純物ｘが水面に浮遊することとなるが、降雨時に、流出口６に設けた開閉弁７によって該流出口６を閉止することにより、各分離室４ｂ，４ｃ，４ｄ内の水位が上り、槽壁９ｃに設けられた分離室４ｂ〜４ｄとオーバーフロー室１０とを連通する複数のオーバーフロー孔８から雨水がオーバーフローする。この時、水面に浮上している油や煤等の不純物ｘが雨水とともに排出されることにより、分離室４ｂ〜４ｄ内の浮上分離物の除去を簡単に行うことができる。また、オーバーフロー室１０に流れ出た雨水及び不純物ｘは、底部の排水口１３から排水戻し管３４を経て縦樋３１に排水される。
【００２４】
また、雨水浄化装置１内の清掃を行う場合にあって、隔壁板３ａ〜３ｃが着脱可能に設けられていることにより、該隔壁板３ａ〜３ｃを取り外すと、液槽２が大きく開放されることとなり、その清掃を容易に行うことができる。また、取り外した隔壁板３ａ〜３ｃの清掃や、多孔質セラミックス１９の交換も液槽２外で行うことができるので、その作業が容易となる。また、底部の開閉弁１１を開いて清掃用排出口１２を開放することにより、液槽２内の水を簡単に排出することができる。さらに、この時、液槽２の底部が一連となり、液槽２の底部に沈殿している砂塵等の比重の大きい不純物ｙを清掃用排出口１２から排出させることができるため、液槽２の沈殿分離物の除去を簡単に行うことができる。
【００２５】
尚、上記実施例にあっては、分離室４ｂ，４ｃ，４ｄにオーバーフロー室１０と連通するオーバーフロー孔８を設けているが、分離室４ａにもオーバーフロー孔８を設けるようにしてもよい。また、上記実施例では液槽２内を四つの分離室４ａ，４ｂ，４ｃ，４ｄに区画しているが、分離室の数はこれに限定されない。
【００２６】
【発明の効果】
本発明は上述したように、前部の分離室に供給される雨水を各分離室に流入させ、各分離室で雨水に混入している不純物をその比重差により浮上又は沈殿させて分離し、後部の分離室に開口された流出口から清浄な雨水を流出させる雨水浄化装置であって、前記流出口に、該流出口を閉止可能な開閉弁を設けるとともに、所要の分離室の、流出口より上方となる高さ位置にオーバーフロー孔を設けたから、降雨時に、開閉弁によって流出口を閉止して、水位を上げ、オーバーフロー孔から雨水をオーバーフローさせることにより、水面に浮上している油や煤等の不純物を雨水とともに排出させることが可能であり、これにより、分離室内の浮上分離物の除去を簡単に行うことができる。
【００２７】
また、液槽を複数の分離室に区画する隔壁板を着脱可能に設けるとともに、液槽の底部に開閉弁を備えた清掃用排出口を設けたから、清掃時に、着脱可能な隔壁板を取り外すことにより、液槽を大きく開放することができ、清掃が容易となる。また、底部の開閉弁を開いて清掃用排出口を開放することにより、液槽内の水を簡単に排出することができる。さらに、この時、液槽の底部が一連となり、液槽の底部に沈殿している分離物を清掃用排出口から排出させることができるため、液槽の沈殿分離物の除去を簡単に行うことができる。
【００２８】
また、所要の分離室内で、隔壁板の連通口から流入する雨水の水流に晒される位置に、吸着性に優れた多孔質セラミックスを配置するようにしたから、該多孔質セラミックスによって、雨水の脱臭，油分除去作用が得られるとともに、水を活性化させることができる。
【００２９】
さらに、液槽の前後方向に沿った側部に、槽壁を介してオーバーフロー室を連成し、前記槽壁に所要の分離室と連通するオーバーフロー孔を設けるとともに、オーバーフロー室の底部に排水口を設けるようにしたから、オーバーフロー孔から延出される配管を無くすことができ、美観性を向上し得る等の優れた効果がある。
【図面の簡単な説明】
【図１】本発明にかかる雨水浄化装置の一実施例を示す縦断正面図である。
【図２】同上の平面図である。
【図３】隔壁板の下部の部分拡大断面図である。
【図４】図１におけるＡーＡ断面図である。
【図５】図１におけるＢーＢ断面図である。
【図６】施工状態を示す概略正面図である。
【符号の説明】
１  雨水浄化装置
２  液槽
３ａ〜３ｃ  隔壁板
４ａ〜４ｄ  分離室
５  連通口
６  流出口
７  開閉弁
８  オーバーフロー孔
９ｃ  槽壁
１０  オーバーフロー室
１１  開閉弁
１２  清掃用排出口
１３  排水口
１９  多孔質セラミックス
ｘ，ｙ  不純物
【図１】
0004480234.tif 000002
【図２】
0004480234.tif 000003
【図３】
0004480234.tif 000004
【図４】
0004480234.tif 000005
【図５】
0004480234.tif 000006
【図６】
0004480234.tif 000007